(57)【特許請求の範囲】
【請求項１】
あらかじめ登録してあるマスター印影と画像読み取り装置により入力された有価証券に押印されている印影とを照合する印影照合装置において、照合を行うために登録されているマスター印影画像から照合対象印影をマッチング等の手法を用いてその位置を探し出す際に、入力された有価証券画像の右下部周辺から探索し、
前記得られた照合対象の署名印影と代表者印影をあらかじめ登録してあるそれぞれのマスター印影と比較し、その有価証券が有効であるかを判定する処理において、各々個別に算出した署名印影と代表者印影の２つの印影の類似度を、それぞれの重なり具合に応じた比率で掛け合わせることによって該有価証券の照合率を算出することを特徴とする有価証券印影照合方法。
【請求項２】
前記登録されている代表者マスター印影画像を用いて小切手等の有価証券画像内から照合対象の代表者印影を探し出し、得られた代表者印影位置をもとにして照合対象である署名印影を見つけ、照合処理を行うことを特徴とする請求項１記載の有価証券印影照合方法。
【発明の詳細な説明】
【０００１】
【発明の属する技術分野】
本発明は、小切手等の有価証券に押されている代表者印、署名印をあらかじめ登録されているマスター印影画像と照合を行い、その有価証券の信頼度（照合率）を算出する有価証券印影照合方法に関する。
【０００２】
【従来の技術】
銀行等の金融機関では、大型コンピュータを保有する集中センターを設置し、これに各支店の顧客情報を蓄積させ、この集中センターと支店の端末装置を通信回線で接続したネットワークを形成している。
【０００３】
各支店において、顧客が小切手等の有価証券を持参した場合には、その有価証券が有効なものであるかを判断する為に、有価証券に押されている署名印や代表者印をあらかじめ登録されているマスター印影と照合を行う。
その方法としては、まず、各支店のオペレータが支店の端末装置を使用し、登録されているマスター印影を検索する。口座番号などを検索キーとして、支店のコンピュータ、または、集中センターのコンピュータから該当するマスター印影を検索し、該当する顧客のデータが存在する場合には、そのマスター印影が端末装置のディスプレイに表示される。
オペレータはディスプレイに表示された印影と実際に有価証券に押されている印影とを目視等により照合することにより、その印影が適正なものであるかを判定している。
近年では、この印影照合作業を補助する機能として、コンピュータ処理により、マスター印影と照合対象印影との位置・角度を合わせて表示させたり、２つの印影の類似度を算出して表示させ、オペレータに依存する作業を軽減させている。なお、特開平１１−９６３６２号公報には印影照合装置に関する技術が記載されている。
【０００４】
【発明が解決しようとする課題】
従来の方式では、小切手等の有価証券の印影を照合する場合、署名印と代表者印のそれぞれで印影エリアの位置指定が必要であり、オペレータへの負担が大きく、作業に時間がかかっていた。また、類似度（照合率）による真贋判定においても、署名印影と代表者印影が重なった場合にはその照合率が大きく低下し、信頼性に問題があった。
【０００５】
本発明は、前述の問題点に鑑みなされたもので、従来に比べて高速かつ高精度に照合し、信頼性の高い印影照合処理を提供することを課題とする。
【０００６】
【課題を解決するための手段】
前述した課題を解決するために、小切手等の有価証券に押されている印影を照合する際の印影検出処理において、照合対象印影は有価証券の右下部周辺に押される可能性が高いことを利用して、右下部から照合対象印影を探し、登録されているマスター印影画像と照合する構成を採用する。
また、有価証券画像内から代表者印影を探し出し、次に、署名印影は代表者印影と並んで左側に押される可能性が高いことを利用して、得られた代表者印影位置の左側周辺で署名印影を探索し、登録されている署名印影画像と照合する構成を採用する。
【０００７】
【発明の実施の形態】
以下、本発明の一実施例として、銀行等の金融機関向けの印影照合装置について説明する。印影照合装置では、あらかじめ登録されている顧客の届け出印鑑の印影（以下「マスター印影」という）と、顧客等によって持ち込まれた手形、小切手等の有価証券に押印されている印影（以下「被照合印影」という）とを照合して正当な利用者であるかの判断材料にしている。本装置は届け出印影と小切手等の有価証券に押印されている署名印影と代表者印影をマスター印影と一致して重なるように位置／回転角度あわせをして合成した印影画像を出力し、また、それらの印影の類似の度合いを定量的に出力し、その有価証券の真贋判定の材料にするものである。
【０００８】
図１は本発明を実現する有価証券印影照合装置１００の一実施例の構成図である。金融機関等には預金者の届け出印（マスター印影）がスキャナ等で読み込んだイメージデータとしてマスター印影画像データベース１０１に登録されている。取り引きの際には金融機関に持ち込まれた手形や小切手、各種用紙をスキャナ等の被照合印影画像入力装置１０２を介して取り込む。取り込まれた被照合印影を含む有価証券画像と口座番号等から検索した対応するマスター印影画像が画像入力部１０３に入る。次に、代表者印影照合部１０４にて印影検出処理部１０５、赤色成分抽出処理部１０６を用いて有価証券画像から代表者印影を抽出し、位置／角度合わせ処理部１０７にてマスター印影とその位置／角度を合わせる。次の署名印影照合部１０８でも同様に印影検出処理部１０５において署名印影を抽出し、位置／角度合わせ処理部１０７にてマスター印影と位置／角度を合わせる。
【０００９】
照合処理部１０９では、位置／角度が合わされた代表者印影、署名印影についてそれぞれマスター印影と照合を行う。類似度統合処理部１１０では、照合処理部１０９にて算出された代表者印影と署名印影の類似度を統合し、その有価証券の信頼度（照合率）を算出し、印影の重ね合せ画像等とともに照合結果出力装置１１１に表示させる。
【００１０】
オペレータは照合結果出力装置１１１に表示された印影の重ねあわせ画像や照合率等のデータを参考に持ち込まれた有価証券が正当なものであるかどうかを判定する。以下、有価証券印影照合装置１００による自動照合処理を説明する。
【００１１】
図２は、有価証券印影照合装置１００による自動照合処理を示すフロー図である。まず、画像入力装置を起動し、持ち込まれた有価証券をスキャンする（２０１）。また、ここで対応するマスター印影画像もマスター印影画像データベースから入力する（２０２）。続いて、入力された有価証券カラー画像、マスター画像から代表者印影を検出する。
【００１２】
図３はこの代表者印影検出処理が示されたフロー図である。ここでは、まず、カラー画像入力（３０１）の後、主成分分析による赤色部分抽出処理を行う（３０２）。ここでは、有価証券に押されている代表者印影の色が赤である場合を想定している。カラー画像データの赤成分、緑成分、青成分の分布情報から３次元的な主成分分析を行い、分類することで図５のように赤色の代表者印影を含む画像（図５（Ｂ））とそれ以外の署名印影や罫線や地紋、文字などを含む画像（図５（Ｃ））に分離させることができる。そして、得られた赤色抽出画像（図５（Ｂ））について２値化処理を行い、代表者印影を含む２値画像を生成する（３０３）。
【００１３】
次に、この２値画像から代表者印影の位置を検出する。その方法としては、まず、２値画像からモザイク化処理を行い、階調のモザイク画像を作成する。例えばここでは８×８画素のエリア内の黒画素数をモザイク画像１画素の階調値（０〜６４）とする。同様に、マスター印影画像についてもモザイク化処理を行う。図６にモザイク画像の例を示す。（Ａ）は有価証券、（Ｂ），（Ｃ）はマスター画像である（３０４）。モザイク化した画像を用いて１ブロックずつずらしながら重ね合せのパターンマッチングを行い、それぞれの画素での階調値の差を足し合わせた相違度が最も小さかったエリアを代表者印影が存在するエリアと判定する。ここでの処理において、ターゲットである代表者印影が有価証券画像の右下に存在する可能性が高いことを考慮して右下からマッチング処理を行う。これにより、高速かつ高精度に代表者印影エリアを検出できる（３０５）。
【００１４】
次に、得られた代表者印影周辺エリアにおいて元画像を用いて回転させながらパターンマッチングを行い、詳細な位置・角度を合わせる（３０６）。得られた代表者印影の位置座標、回転角度から、マスター印影、被照合印影について角度を合わせた正規化画像を生成する（３０７）。以上により、まず有価証券中の代表者印影を検出する。検出に失敗した場合は照合不能として照合処理を終了する（２０４）。次に、同様に有価証券中の署名印影を登録されているマスター印影を用いて検出する。図４はこの署名印影検出処理が示されたフロー図である。ここでは、まず、（３０２）の処理において生成した赤成分以外を抽出した画像（図５（Ｃ））を入力する（４０１）。そして、その画像に対して２値化処理を行い、署名印影を含む２値画像を生成する（４０２）。次にこの画像を用いて署名印影を抽出する。ここではすでに代表者印の位置座標がわかっており、署名印影は代表者印影と並んで左側に押される可能性が高いことを考慮し、図７に示すように、代表者印影のエリアを含む左側周辺部を署名印影探索エリアとする。これにより署名印影の検出処理の高速化を図ることができる（４０３）。このエリアにおいて代表者印影と同様にパターンマッチングを行い、署名印影の位置、角度を合わせる（４０４）。得られた署名印影の位置座標、回転角度から、マスター印影、被照合印影について角度を合わせた正規化画像を生成する（４０５）。次に、位置・角度をあわせた代表者印影、署名印影について照合を行い、それぞれの類似度を算出する（２０７）。
【００１５】
照合の方法は例えばドット毎のマッチングにより類似度Simを求める。具体的には、各々の画像の画素数をNm，Ntおよび、双方に共通する画素数Ncとした時、以下の式で定義する。
【００１６】
【数１】
0003732096.tif 000002
この類似度は０≦Sim≦１であり、完全に一致するものが１である。類似度の算出方式についてはこの他にも印影画像の輪郭や濃度勾配のベクトルを用いた方式など様々な方法が考えられる。
【００１７】
次に、代表者印影と署名印影それぞれの類似度を統合し、その有価証券の信頼度（照合率）を算出する（２０８）。その方法としては、代表者印影と署名印影の類似度をある比率で掛け合わせる。例えば、代表者印影と署名印影の重なりがない場合は両方の類似度の平均を有価証券の照合率とする。代表者印影と署名印影に重なりが生じている場合はその重なり具合に応じて掛け合わせの比率を変更させることでより信頼性の高い照合率を算出できる。掛け合わせ比率として例えば以下のように設定する。
（１）重なりがない場合は、署名印：代表者印＝５：５
（２）重なりエリアが代表者印の２割未満の場合は、署名印：代表者印＝６：４
（３）重なりエリアが代表者印の２割以上４割未満の場合は、署名印：代表者印＝７：３
（４）重なりエリアが代表者印の４割以上の場合は、署名印：代表者印＝８：２
【００１８】
【発明の効果】
本発明により、小切手等の有価証券の照合対象印影が右下部周辺に存在する可能性が高いことを利用して、右下部から印影を探索することで印影照合処理の高速化を図ることができる。
【図面の簡単な説明】
【図１】有価証券印影照合装置構成図
【図２】実施例の処理手順
【図３】代表者印影照合処理手順
【図４】署名印影照合処理手順
【図５】主成分分析による赤色抽出の説明図
【図６】代表者印影探索処理の説明図
【図７】署名印影探索処理の説明図
【符号の説明】
１００：有価証券印影照合装置、１０１：マスター印影画像データベース、１０２：被照合印影画像入力装置、１０３：画像入力部、１０４：代表者印影照合部、１０５：印影検出処理部、１０６：赤色成分抽出処理部、１０７：角度／位置合わせ処理部、１０８：署名印影処理部、１０９：照合処理部、１１０：類似度統合処理部、１１１：照合結果出力装置、２０１〜２０７：実施例の処理手順、３０１〜３０７：代表者印影照合処理手順、４０１〜４０５：署名印影照合処理手順
【図１】
0003732096.tif 000003
【図２】
0003732096.tif 000004
【図３】
0003732096.tif 000005
【図４】
0003732096.tif 000006
【図５】
0003732096.tif 000007
【図６】
0003732096.tif 000008
【図７】
0003732096.tif 000009